(57)【特許請求の範囲】
【請求項１】
アンテナで受信された高周波信号を増幅してＩｃｈとＱｃｈの受信ベースバンド信号に周波数変換するＲＦ部と、得られた受信ベースバンド信号をディジタル信号に変換するＡ／Ｄコンバータと、変換されたディジタル信号に対して送信機と受信機の局部発振器の周波数の誤差によるキャリア位相回転を打ち消す演算を施してＩ、Ｑ信号位相平面上で一定の位相角を持った信号に変換する回転行列演算回路と、前記回転演算回路の出力に対して希望チャネルの拡散符号との相関値を求める相関器と、相関器の出力信号に対して誤り訂正符号の復号を行なって伝送情報を復調する誤り訂正復号回路と、相関器の出力信号に対してＩ、Ｑ信号平面上の位相の回転速度を求めるキャリア位相回転速度検出回路と、得られたキャリア位相回転速度を時間的に平均化する平均化回路と、時間平均されたキャリア位相回転情報を前記Ａ／Ｄコンバータのサンプリング周期に等しい間隔で内挿補間する内挿補間回路と、内挿補間されたキャリア位相回転情報を前記回転行列演算回路に入力して、送信機と受信機の局部発振器の周波数の誤差によるキャリア位相回転を打ち消す演算に使用することを特徴とするＡＦＣ回路。
【発明の詳細な説明】
【０００１】
【発明の属する技術分野】
本発明は、携帯電話装置等のディジタル信号の伝送方式として直接拡散スペクトル拡散方式を用いるシステムにおいて、受信周波数の安定化を図るためのＡＦＣ（Ａｕｔｏｍａｔｉｃ  Ｆｒｅｑｕｅｎｃｙ  Ｃｏｎｔｒｏｌ）  回路に関する。
【０００２】
【従来の技術】
図２は従来のＡＦＣ回路の例を示すものである。図２において、１は受信アンテナ、２はＲＦ部、３はＡ／Ｄコンバータ、４は相関器、５は回転行列演算回路、６は誤り訂正復号回路、７はキャリア位相回転速度検出回路、８は平均化回路である。
【０００３】
次に、上記従来例の動作について説明する。受信アンテナ１で受信された高周波信号は、ＲＦ部２で増幅されてベースバンド帯に周波数変換され、Ｉｃｈ、Ｑｃｈそれぞれの受信ベースバンド信号が得られる。このＩｃｈ、Ｑｃｈの受信ベースバンド信号をＡ／Ｄコンバータ３でディジタル信号に変換する。Ａ／Ｄコンバータ３の出力信号を相関器４に入力し、希望チャネルの拡散符号との相関値を求める。相関器４の出力信号に対して、回転行列演算回路５で、送信機と受信機の局部発振器の周波数の誤差によるキャリア位相回転を打ち消す演算を施し、Ｉ、Ｑ位相平面上で一定の位相角を持った信号に変換する。回転行列演算回路５の出力信号に対して、誤り訂正復号回路６で誤り訂正符号の復号を行い、伝送情報を復調する。
【０００４】
一方、キャリア位相回転速度検出器７では、相関器出力信号のＩ、Ｑ平面上の位相の回転速度、すなわち伝送情報ビット（誤り訂正符号化後）の前ビットとの位相角の差分を求める。希望チャネルの成分は、相関器４の出力のみから得られるので、希望チャネルのキャリア位相情報は、伝送情報（誤り訂正符号化後）のビットレートに等しい頻度でのみ得られる。キャリア位相回転速度検出器７で得られたキャリア位相回転速度は、平均化回路８で時間的に平均化され、雑音の影響が取り除かれる。時間平均されたキャリア位相回転情報は、回転行列演算回路５に入力され、送信機と受信機の局部発振器の周波数の誤差によるキャリア位相回転を打ち消す演算に使われる。
【０００５】
【発明が解決しようとする課題】
しかしながら、上記従来のディジタルＡＦＣ回路では、拡散変調され情報信号の復調を行なう相関器の出力からキャリア位相回転の補正を行なうので、１情報シンボル時間でのキャリア位相を一定とみなせる程度の位相回転速度では、ＡＦＣ回路は有効に動作するものの、キャリア位相回転速度が大きい場合には、１情報シンボルの時間内でのキャリア位相の変化が大きくなるので、相関器で１シンボル時間の時間内でのキャリア位相の変化が大きくなり、相関器で１シンボル時間の積分を行なう際の誤差が大きくなり、誤り率特性が劣化するという問題があった。本発明は、誤り率特性の劣化の少ないＡＦＣ回路を提供することを目的とする。
【０００６】
【課題を解決するための手段】
本発明は、上記目的を達成するために、アンテナで受信された高周波信号を増幅してＩｃｈとＱｃｈの受信ベースバンド信号に周波数変換するＲＦ部と、得られた受信ベースバンド信号をディジタル信号に変換するＡ／Ｄコンバータと、変換されたディジタル信号に対して送信機と受信機の局部発振器の周波数の誤差によるキャリア位相回転を打ち消す演算を施してＩ、Ｑ信号位相平面上で一定の位相角を持った信号に変換する回転行列演算回路と、この回転演算回路の出力に対して希望チャネルの拡散符号との相関値を求める相関器と、相関器の出力信号に対して誤り訂正符号の復号を行なって伝送情報を復調する誤り訂正復号回路と、相関器の出力信号に対してＩ、Ｑ信号平面上の位相の回転速度を求めるキャリア位相回転速度検出回路と、得られたキャリア位相回転速度を時間的に平均化する平均化回路と、時間平均されたキャリア位相回転情報を前記Ａ／Ｄコンバータのサンプリング周期に等しい間隔で内挿補間する内挿補間回路と、内挿補間されたキャリア位相回転情報を前記回転行列演算回路に入力して、送信機と受信機の局部発振器の周波数の誤差によるキャリア位相回転を打ち消す演算に使用するようにしたものである。これにより、キャリア位相回転速度が大きく、１情報シンボルの時間内でのキャリア位相の変化が大きい場合でも、相関器で１シンボル時間の積分を行なう際の誤差を従来の方式と比較して小さくすることが可能になり、誤り率特性が劣化を少なくできる。
【０００７】
【発明の実施の形態】
以下、本発明の実施の形態について図面を参照しながら説明する。
【０００９】
図１において、１１は受信アンテナ、１２はＲＦ部、１３はＡ／Ｄコンバータ、１４は回転行列演算回路、１５は相関器、１６は誤り訂正復号回路、１７はキャリア位相回転速度検出回路、１８は平均化回路、１９は内挿補間回路である。
【００１０】
次に、本実施の形態の動作を説明する。受信アンテナ１１で受信された高周波信号は、ＲＦ部１２で増幅されてベースバンド帯に周波数変換され、Ｉｃｈ、Ｑｃｈそれぞれの受信ベースバンド信号が得られる。このＩｃｈ、Ｑｃｈの受信ベースバンド信号をＡ／Ｄコンバータ１３でディジタル信号に変換する。Ａ／Ｄコンバータ１３の出力に対して、回転行列演算回路１４で送信機と受信機の局部発振器の周波数の誤差によるキャリア位相回転を打ち消す演算を施し、Ｉ、Ｑ位相平面上で一定の位相角を持った信号に変換する。回転行列演算回路１４の出力信号を相関器１５に入力し、希望チャネルの拡散符号との相関値を求める。相関器１５の出力信号に対して、誤り訂正復号回路１６で誤り訂正符号の復号を行い、伝送情報を復調する。
【００１１】
ここで注意すべき点は、相関器１５の入力信号は、拡散符号の帯域幅を持った広帯域信号で、伝送情報のビットレートに拡散利得を乗じたサンプリング速度を持つのに対して、相関器１５の出力信号は、伝送情報（誤り訂正符号化後）の帯域幅の信号である点である。拡散符号の速度に対して、Ａ／Ｄコンバータ１３においてオーバサンプリングがされている場合は、上記のサンプリング速度にさらにオーバサンプリング倍数を乗じた速度である。キャリア位相回転速度検出器１７では、相関器出力信号のＩ、Ｑ平面上の位相の回転速度、すなわち伝送情報ビット（誤り訂正符号化後）の前ビットとの位相角の差分を求める。希望チャネルの成分は、相関器１５の出力のみから得られるので、希望チャネルのキャリア位相情報は、伝送情報（誤り訂正符号化後）のビットレートに等しい頻度でのみ得られる。キャリア位相回転速度検出器１７で得られたキャリア位相回転速度は、平均化回路１８で時間的に平均化され、雑音の影響が取り除かれる。時間平均されたキャリア位相回転情報は、内挿補間回路１９でＡ／Ｄコンバータ１３のサンプリング周期に等しい間隔で内挿補間される。内挿補間された位相回転情報は、回転行列演算回路１４に入力され、送信機と受信機の局部発振器の周波数の誤差によるキャリア位相回転を打ち消す演算に使われる。
【００１２】
【発明の効果】
以上のように、本発明によれば、キャリア位相回転速度が大きく、１情報シンボルの時間内でのキャリア位相の変化が大きい場合でも、相関器で１シンボル時間の積分を行なう際の誤差を従来の方式と比較して小さくすることが可能になり、誤り率特性が劣化を少なくできるという効果を有する。
【図面の簡単な説明】
【図１】本発明の実施の形態１におけるＡＦＣ回路の概略ブロック図
【図２】従来のＡＦＣ回路の概略ブロック図
【符号の説明】
１１  受信アンテナ
１２  ＲＦ部
１３  Ａ／Ｄコンバータ
１４  回転行列演算回路
１５  相関器
１６  誤り訂正復号回路
１７  キャリア位相回転速度検出回路
１８  平均化回路
１９  内挿補間回
【図１】
0003611665.tif 000002
【図２】
0003611665.tif 000003